(57)【特許請求の範囲】
【請求項１】
腰部から足首までを被覆する部分を有し、身体にほぼ密着した状態で着用される運動用衣服であって、
膝の内側を覆う領域に配置されている膝内側緊締部と、膝の外側を覆う領域に配置されている膝外側緊締部を有し、膝蓋靭帯より下部、かつ足首より上を覆う領域には、膝内側緊締部と本体生地との縫製線及び膝外側緊締部と本体生地との縫製線以外に、縫製線として脛骨の前縁を覆う領域に脛骨に沿うように配置されている１本の脛骨縫製線のみが存在することを特徴とする運動用衣服。
【請求項２】
前記膝内側緊締部と膝外側緊締部は、膝蓋靭帯を覆う領域において交差して連結されており、前記脛骨縫製線と繋がっている請求項１に記載の運動用衣服。
【請求項３】
前記膝外側緊締部は、大腿外側部を覆う領域に配置されている大腿外側緊締部と繋がっている請求項１又は２に記載の運動用衣服。
【請求項４】
前記膝内側緊締部は、股部を覆う領域までに伸びており、股部を覆う領域に配置されている股緊締部と一体化されている請求項１〜３のいずれか１項に記載の運動用衣服。
【請求項５】
前記運動用衣服において、下腿を覆う領域には樹脂がプリントされている請求項１〜４のいずれか1項に記載の運動用衣服。
【請求項６】
前記運動用衣服において、下腿を覆う領域に再帰反射材が塗布されている請求項１〜４のいずれか１項に記載の運動用衣服。
【発明の詳細な説明】
【技術分野】
【０００１】
本発明は、運動を行う時に着用される運動用衣服に関し、特にはジョギングやランニング時に着用される運動用衣服に関する。
【背景技術】
【０００２】
近年、スポーツ科学におけるテーピング理論を応用して、伸縮しにくい部分を形成し、膝をサポートし、運動機能を向上させたスポーツウェアが提案されている。例えば、特許文献１には、高伸縮強度を持った素材からなる脇側部材と内側部材を膝位置の下方で山形に対向して頂部を突き合わせ縫合連結して膝テーピング構造を構成することが記載されている。また、特許文献２には、膝蓋骨に対する膝エリアの内側及び外側に設けられ、脚部の上下方向に伸張し、収縮力を発生させる緊締ベルト部で挟まれた膝蓋エリアを被覆する膝サポート部を有する股付き衣類が記載されている。
【先行技術文献】
【特許文献】
【０００３】
【特許文献１】特開平１１−１２８１４号公報
【特許文献２】特開２００６−２７４５１０号公報
【発明の概要】
【発明が解決しようとする課題】
【０００４】
しかし、特許文献１及び特許文献２においては、膝より下部を覆う領域において、縫製線が複数存在しており、縫製線と皮膚との摩擦を改善することが検討されていない。
【０００５】
本発明は、上記従来の問題を解決するため、膝をサポートしつつ、膝より下部を覆う領域における皮膚との摩擦を軽減した運動用衣服を提供する。
【課題を解決するための手段】
【０００６】
本発明は、腰部から足首までを被覆する部分を有し、身体にほぼ密着した状態で着用される運動用衣服であって、膝の内側を覆う領域に配置されている膝内側緊締部と、膝の外側を覆う領域に配置されている膝外側緊締部を有し、膝蓋靭帯より下部を覆う領域には、縫製線として脛骨に沿うように配置されている１本の脛骨縫製線のみが存在することを特徴とする運動用衣服に関する。
【０００７】
上記膝内側緊締部と膝外側緊締部は、膝骨靭帯を覆う領域において交差して連結されており、上記脛骨縫製線と繋がっていることが好ましい。上記膝外側緊締部は、大腿外側部を覆う領域に配置されている大腿外側緊締部と繋がっていることが好ましい。上記膝内側緊締部は、股部を覆う領域までに伸びており、股部を覆う領域に配置されている股緊締部と一体化されていることが好ましい。
【０００８】
上記運動用衣服において、下腿を覆う領域には樹脂がプリントされていることが好ましい。また、上記運動用衣服において、下腿を覆う領域に再帰反射材が塗布されていることが好ましい。
【発明の効果】
【０００９】
本発明は、膝の内側及び外側を覆う領域に緊締部を設けるとともに、膝蓋靭帯より下部を覆う領域において、一本の縫製線のみを脛骨に沿うように配置することにより、膝をサポートしつつ、膝より下部を覆う領域における皮膚との摩擦を軽減した運動用衣服を提供する。
【図面の簡単な説明】
【００１０】
【図１】図１Ａは本発明の運動用衣服の一実施態様の正面図であり、図１Ｂは同背面図であり、図１Ｃは同外側面図であり、図１Ｄは同内側面図である。
【図２】図２Ａは本発明の運動用衣服の他の一実施態様の正面図であり、図２Ｂは同背面図であり、図２Ｃは同外側面図であり、図２Ｄは同内側面図である。
【図３】図３Ａは比較例１の運動用衣服の正面図であり、図３Ｂは同背面図であり、図３Ｃは同外側面図であり、図３Ｄは同内側面図である。
【発明を実施するための形態】
【００１１】
本発明において、「伸縮性を有する」とは、運動用衣服を構成する生地の身体の幅方向における伸長率及び／又は身体の長さ方向における伸長率が０％を超えることを意味する。なお、本発明において、伸長率とは、ＪＩＳ  Ｌ  １０９６に準じて測定したものをいい、具体的には、荷重をかけていない状態の生地片の長さをＡとし、１５Ｎの荷重をかけた状態の生地片の長さをＢとした場合、伸長率＝（Ｂ−Ａ）／Ａ×１００で算出したものである。
【００１２】
また、本発明において、「ほぼ密着」の状態を作るには、人体の裸のサイズに対して、周囲方向は５０〜１１０％、より好ましくは７０〜９５％、丈は７５〜１００％、より好ましくは８５〜１００％として運動用衣服を形成する。もちろん人体のサイズは個人差があるので、前記の比率は目安である。より具体的には、ＪＡＳＰＯ規格に従ってサイズを決める。
【００１３】
本発明において、緊締部とは、緊締力の強い部分をいう。通常、生地の伸長率が低いほど緊締力が強くなり、本発明において、緊締力が強いとは、伸長率が低いこと、特に身体の長さ方向における伸長率が低いことを意味する。
【００１４】
本発明の運動用衣服は、膝の内側を覆う領域に配置されている膝内側緊締部と、膝の外側を覆う領域に配置されている膝外側緊締部を有する。これにより、膝の動きをサポートし、運動機能を向上することができる。上記膝内側緊締部及び膝外側緊締部は、身体の長さ方向に沿って帯状に形成されていることが好ましく、上記膝内側緊締部と膝外側緊締部は、膝骨靭帯を覆う領域において交差して連結され、脛骨縫製線と繋がっていることがより好ましい。膝の動きをより効果的にサポートすることができる。
【００１５】
上記膝外側緊締部は、大腿外側部を覆う領域に配置されている大腿外側緊締部と繋がっていることが好ましく、上記膝内側緊締部は、股部を覆う領域までに伸びており、股部を覆う領域に配置されている股緊締部と一体化されていることが好ましい。これにより、大腿部及び膝の動きをサポートすることができ、下肢全体の運動機能を向上させることができる。
【００１６】
上記運動用衣服の骨盤を覆う領域には、骨盤緊締部が配置されていることが好ましく、腰緊締部の上端ラインが腹緊締部の上端ラインより高い位置に配置されていることがより好ましい。これにより、ランニング時などの運動時に、骨盤を前傾させ、足接地位置と身体の重心位置を近接させることができる。ウエスト上部を覆う領域には、本体生地を折り曲げて袋を形成し、袋の内部にゴムベルトを配置したベルト部を設けてもよい。
【００１７】
上記運動用衣服において、膝蓋靭帯より下部を覆う領域には、脛骨に沿うように配置されている１本の脛骨縫製線のみが存在する。縫製線が一本であることにより、複数の場合より、ランニングなどの運動時における皮膚と縫製線の摩擦が低減される。特に、脛骨を覆う皮膚は伸びが少なく、脛骨に沿うように配置されている１本の脛骨縫製線のみを有することにより、ランニングなどの運動時における皮膚と縫製線の摩擦が格段に低減される。また、脹脛に均一に圧力がかかる。縫製も少なく、製造コスト低減と省力化が図れる。
【００１８】
上記運動用衣服において、下腿を覆う領域には樹脂がプリントされていることが好ましい。樹脂の面積や模様により緊締力を調整することができ、部位によって段階的に圧力を掛けることができる。膝蓋靭帯より下部を覆う領域に、脛骨に沿うように配置されている１本の脛骨縫製線のみが存在することにより、樹脂のプリント加工が一回で可能であり、製造コスト低減と省力化が図れる。上記運動用衣服において、裾部に樹脂がプリントされていることが好ましい。これにより、裾部をたち切りする、即ち生地の端を切ったままの状態にすることができ、製造コストを削減できる。
【００１９】
上記樹脂としては、特に限定されないが、ポリアミド系樹脂、ポリ塩化ビニル系樹脂、ポリエチレン系樹脂、ポリエステル系樹脂、ポリウレタン樹脂、ポリプロピレン樹脂、エポキシ系樹脂、メラミン樹脂、フェノール樹脂などを用いることができる。プリント方法としては、特に限定されず、例えば、スパッツ、タイツなどのボトム類、タンクトップ、スポーツシャツなどのトップス類、水着、サポーターなど身体に密着する衣類シャツなどの衣服に樹脂をプリントする一般的な方法を用いることができる。
【００２０】
また、上記運動用衣服において、下腿を覆う領域に再帰反射材が塗布されていることが好ましい。３６０度に再帰反射が可能であり、ランニングなどの運動時の安全性を高めることができる。膝蓋靭帯より下部を覆う領域に、脛骨に沿うように配置されている１本の脛骨縫製線のみが存在することにより、３６０度に再帰反射加工が可能となる。
【００２１】
上記再帰反射材としては、再帰反射ができるものであればよく、特に限定されない。例えば、アルミ蒸着反射材、ガラスビーズ、反射フィルム、着色反射材、プリズムなどを用いることができる。
【００２２】
本発明において、膝内側緊締部、膝外側緊締部などの緊締部を構成する生地の身体の長さ方向における伸長率（以下において、単に「長さ方向伸長率」とも記す。）と、緊締部を除くその他の部位（以下において、単に他の部位とも記す。）を構成する生地の長さ方向伸長率の比が１．３〜３．７であることが好ましく、１．５〜３．５であることがより好ましく、２〜３．５であることがさらに好ましく、２〜３であることが特に好ましい。伸長率の比が上記の範囲であることにより、動きやすさを保持しつつ、サポート効果を発揮する。
【００２３】
上記緊締部を構成する生地の長さ方向伸長率が、他の部位を構成する生地の長さ方向伸長率より、３０％以上低いことが好ましく、５０％以上低いことがより好ましく、７５〜１００％低いことがさらに好ましい。伸長率の差が上記の範囲であることにより、上記緊締部を構成する生地の長さ方向伸長率と他の部位を構成する生地の長さ方向伸長率の差が３０％以上であることにより、動きやすさを保持しつつ、サポート効果を発揮する。
【００２４】
上記緊締部を構成する生地は、長さ方向伸長率が４０〜１００％であることが好ましく、より好ましくは５０〜９０％であり、さらに好ましくは５０〜８０％である。また、上記緊締部を構成する生地は、身体の幅方向における伸長率（以下において、単に「幅方向伸長率」とも記す。）幅方向伸長率が２０〜８０％であることが好ましく、３０〜８０％であることがより好ましく、３０〜７０％であることが特に好ましい。幅方向及び長さ方向における伸長率が上記の範囲であると、着用感を良好にしつつ、サポート機能を発揮し得る。
【００２５】
本発明において、生地としては、伸縮性を有するものであればよく、特に限定されず、例えば織物、編物などの通常の衣服用生地を用いることができる。織物としては、例えば平織、斜文織、朱子織、変化平織、変化斜文織、変化朱子織、変わり織、紋織、片重ね織、二重組織、多重組織、経パイル織、緯パイル織、絡み織などが挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが挙げられる。上記生地は、特に限定されないが、例えば、目付けが１２０〜３８０ｇ／ｍ2の範囲が好ましく、より好ましくは１６０〜３４０ｇ／ｍ2の範囲、さらに好ましくは２４０〜２８０ｇ／ｍ2の範囲である。上記の範囲であれば、運動機能を損なわず、耐久性も良く、軽くて動きやすい利点がある。
【００２６】
上記生地を構成する繊維としては、特に限定されず、例えばポリエチレンテレフタレート、ポリトリメチレンテレフタレート、ポリブチレンテレフタレートなどのポリエステル繊維、ポリウレタン繊維、アセテート繊維、コットン繊維、レーヨン繊維、エチレンビニルアルコール繊維、ナイロン繊維などを用いることができる。
【００２７】
上記運動用衣服において、伸長率が異なる生地をそれぞれ用いて緊締部と他の部位を構成してもよく、所定の伸長率の一種類の生地で衣服を作製した後、他の生地を二重打ちして緊締部を形成してもよい。
【００２８】
以下、図面に基づいて、本発明の運動用衣服を説明する。
【００２９】
図１には、本発明の運動用衣服の実施態様１のランニングタイツが示されている。図１Ａは実施態様１のランニングタイツの正面図であり、図１Ｂは同背面図であり、図１Ｃは同外側面図であり、図１Ｄは同内側面図である。
【００３０】
図１に示しているように、該実施形態の運動用衣服（ランニングタイツ）１は、膝の内側を覆う領域に配置されている膝内側緊締部１０１と、膝の外側を覆う領域に配置されている膝外側緊締部１０２を有する。膝内側緊締部１０１及び膝外側緊締部１０２は、身体の長さ方向に沿って帯状に形成されている。膝内側緊締部１０１と膝外側緊締部１０２は、膝骨靭帯を覆う領域において交差して連結され、脛骨縫製線１０と繋がっている。膝外側緊締部１０１は、大腿外側部を覆う領域に配置されている大腿外側緊締部２００と繋がっており、膝内側緊締部１０２は、股部を覆う領域までに伸びて股緊締部３００と一体されている。運動用衣服１において、膝蓋靭帯より下部を覆う領域には、縫製線として脛骨に沿うように配置されている１本の脛骨縫製線１０のみが存在する。
【００３１】
運動用衣服１の骨盤を覆う領域には、骨盤緊締部４００が配置され、腹緊締部４０１と、腰緊締部４０２を有している。腰緊締部４０２の上端ラインが腹緊締部４０１の上端ラインより上部に形成されている。ウエスト上部を覆う領域には、本体生地を折り曲げて形成した袋にゴムベルトを配置したベルト部６００が設けられている。
【００３２】
図２Ａは本発明の運動用衣服の他の一実施態様の正面図であり、図２Ｂは同背面図であり、図２Ｃは同外側面図であり、図２Ｄは同内側面図である。図１及び図２において、同じ符号は同じ構成を示す。図２に示されている運動用衣服２は、下腿を覆う領域に樹脂５００がプリントされている以外は、運動用衣服１と同様の構成である。樹脂５００がプリントされている部分と、樹脂５００がプリントされていない部分の緊締力が異なる。また、樹脂２０の面積が異なる部分間においても、緊締力が互いに異なる。運動用衣服２において、膝蓋靭帯より下部を覆う領域には、縫製線として脛骨に沿うように配置されている１本の脛骨縫製線１０のみが存在する。また、運動用衣服２において、裾部には樹脂５００がプリントされており、裾部は断ち切りされている。
【００３３】
図１及び図２において、太い実線及び点線は、縫製線を示す。上記運動用衣服において、縫製は、特に限定されず、例えば、ポリエステルフィラメントミシン糸、ポリエステルスパンミシン糸、ナイロンウーリー糸、ポリエステルウーリー糸などのミシン糸を用いて行うことができ、縫製方法も、特に限定されず、本縫い、環縫い、１本針オーバーロック、２本針オーバーロック、フラットシーマなどの一般的な方法が挙げられる。
【実施例】
【００３４】
以下実施例を用いて本発明をさらに具体的に説明する。なお、本発明は下記の実施例に限定されるものではない。
【００３５】
（実施例１）
緊締部を構成する生地として、長さ方向伸長率が９８％、幅方向伸長率が３６％、目付けが２１０ｇ／ｍ2であるツーウェイ（２Ｗａｙ）トリコット経編地１２（ナイロン８７質量％、ポリウレタン繊維１３質量％）を用い、他の部位を構成する生地として、長さ方向伸長率が１６０％、幅方向伸長率が１００％、目付けが１９５ｇ／ｍ2であるツーウェイ（２Ｗａｙ）トリコット経編地１１（ナイロン７６質量％、ポリウレタン繊維２４質量％）を用い、図１に示したようなランニングタイツ（ＪＡＳＰＯ規格Ｍサイズ）を作製した。図１の太い実線及び点線で示されている縫製線に沿ってポリエステルウーリー糸を用いて縫製しており、膝蓋靭帯より下部を覆う領域には、縫製線として脛骨に沿うように配置されている１本の脛骨縫製線１０のみが存在していた。
【００３６】
（比較例１）
図３に示しているように、膝蓋靭帯より下部を覆う領域において、縫製線２０、縫製線３０の二本の縫製線で縫製した以外は、実施例１と同様にして運動用衣服３を作製した。
【００３７】
実施例１及び比較例１の運動用衣服において、膝蓋靭帯より下部を覆う領域の周長方向応力を下記のように測定し、その結果を下記表１に示した。
【００３８】
（周長方向応力）
巾５ｃｍ、長さ２０ｃｍの本体生地（トリコット経編地１１）を、縫製線１本で縫製して円筒を作製し、実施例１の膝蓋靭帯より下部を覆う領域の周長方向応力を測定するサンプルとした。また巾５ｃｍ、長さ２０ｃｍの本体生地（トリコット経編地１１）を、縫製線２本で縫製して円筒を作製し、比較例１の膝蓋靭帯より下部を覆う領域の周長方向応力を測定するサンプルとした。円筒の内側に治具を挿入した状態を初期として、速度２００ｍｍ／ｍｉｎで引っ張った時の荷重を測定し、応力を求めた。
【００３９】
【表１】
0006462455.tif 000002
【００４０】
上記表１の結果から分かるように、実施例１の運動用衣服１の縫製線を１本のみ有する膝蓋靭帯より下部を覆う領域の周長方向応力が、比較例１の運動用衣服１の縫製線を２本有する膝蓋靭帯より下部を覆う領域の周長方向応力より低く、実施例１の運動用衣服１を着用した場合、ふくらはぎへの局部的な衣服圧を軽減させることになる。また、実施例１の運動用衣服を着用したところ、膝に対するサポートを感じ、膝より下部を覆う領域における皮膚との摩擦が少ないことが確認できた。
【符号の説明】
【００４１】
１、２、３  運動用衣服
１０、２０、３０  縫製線
１０１  膝内側緊締部
１０２  膝外側緊締部
２００  大腿外側緊締部
３００  股緊締部
４００  骨盤緊締部
４０１  腹緊締部
４０２  腰緊締部
５００  樹脂
６００  ベルト部
【図１】
0006462455.tif 000003
【図２】
0006462455.tif 000004
【図３】
0006462455.tif 000005